Podtech/llm-jp-corpus-v4-ja_patent huggingface dataset:
(57)【特許請求の範囲】
【請求項１】
エアバッグの中の、機体に近い面から、機体と平行な方向に、複数入れた仕切りを使いエアバッグ内に、複数の、仕切りで作られた空間（以下、仕切り層）を作り、エアバッグの空気取入口より流入した空気が、機体に一番近い仕切り層を通り、エアバッグの後方に流れ、エアバッグの後方とぶつかり、反転して、機体に一番近い仕切り層の外側に作られた複数の仕切り層に入り、エアバッグを前方と、機体の外側に向って膨らませる、仕切りの活用方法
【発明の詳細な説明】
【発明の概要】
【発明が解決しようとする課題】
【０００１】飛行機の墜落    に対する被害の軽減
【課題を解決するための手段】
【０００２】墜落前に作動し、機体の外側に膨らむエアバッグの内側に、仕切りを作り墜落時のエアバッグの損傷の軽減を行う。【０００３】仕切りは、エアバッグの機体に近い面から、機体と平行な方行に、複数入れ、仕切りで作られた空間（以下、仕切り層）を作る。【０００４】エアバッグの空気取入口より流入した空気が、機体に一番近い仕切り層を通り、エアバッグの後方に流れ、エアバッグの後方とぶつかり、空気は反転して、機体に一番近い仕切り層の、外側に作られた複数の仕切り層に入り、エアバッグは、前方と機体の外側に向って、膨らむ。
【発明の効果】
【０００５】エアバッグに仕切りを入れることにより、エアバッグ自身が強化され、仕切りによる複数の空間によって、衝突時、エアバッグの外側の仕切り層が、破裂しても、機体に近い内側の仕切り層は、破裂せず、機体に対してクッション材としての役目をなし、機体の破壊の軽減を行う
【要約】【課題】飛行機の墜落    に対する被害の軽減【解決手段】エアバッグの中に仕切りを入れることで、エアバッグを強化する【選択図】なし
(57)【特許請求の範囲】
【請求項１】
取手部５を付勢することで先端挟持部４が開閉するトングであり、前記の先端挟持部４の内側に有する挟持面に対して反対側の外側面から垂直方向とトング先端の長手方向へ傾斜を有するブラシ部を設けたことを特徴とする洗浄ブラシ付きトング。
【請求項２】
前記外側面にゴム、シリコンゴム、ポリプロピレンの樹脂素材で洗濯板状、波状、イボ状突起の凸凹面を有するブラシ部を設けたことを特徴とする請求項１に記載の洗浄ブラシ付きトング。
【発明の詳細な説明】
【技術分野】
【０００１】本発明はトング狭持部側面に洗浄用ブラシが付いた物である。
【背景技術】
【０００２】従来、洗濯物を摘み上げるものがあった。
また、襟、袖口洗い用に内側にブラシが有るものがあった。
【発明の概要】
【発明が解決しようとする課題】
【０００３】そのために次のような問題点があった。
（イ）単純に摘み上げる物しかなかった。
（ロ）内側に摘み襟、袖口だけを洗う物しかなかった。
本発明は、これらの問題点を解決するためになされたものである。
【課題を解決するための手段】
【０００４】狭持部側面に洗浄機能が有る磨き洗い用の洗浄ブラシを設け擦り洗い用に凹凸のざらつき面を設け、狭持部で摘み上げて部分洗いや先端で押し洗い洗浄、漂白、殺菌が出来る道具である。
【発明の効果】
【０００５】洗剤や洗浄物に触れずに汚れ部分を見つけ集中的に洗うことができ、衛生的でありブラシ部は洗濯、清掃、キッチン用品として幅広く利用されトングを閉じると狭い場所に差し入れて洗浄するのに使用出来る。
【図面の簡単な説明】
【０００６】
【図１】本発明の側面図である。
【図２】本発明の洗浄機能部を示す拡大図である。
【図３】本発明の断面図である。
【図４】本発明の正面図・両面ブラシ仕様である。
【図５】本発明の台座部取り替え式の実施例である。
【図６】本発明の様々なブラシ仕様の実施例である。
【図７】本発明の様々な凹凸部仕様の実施例である。
【図８】本発明の台座部と狭持部が同一仕様の実施例である。
【発明を実施するための形態】
【０００７】以下、本発明の実施の形態について説明する。
（イ）取手部５を付勢することで先端狭持部４が開閉するトングであり、先端狭持部４は  外側へ湾曲するアーチ型形状である。
（ロ）先端狭持部４は図１（ａ）取手部５と同一素材で一体の物、図１（ｂ）成型された  先端狭持部４に取手部５が差し込まれた物がある。
（ハ）先端狭持部４の外側にブラシ部を設ける。
（ニ）前記、ブラシ部に対向する先端狭持部４の外側に擦り洗いする凹凸部を設ける。
（ホ）図１に記載するブラシ部１と凹凸部２は先端狭持部４に台座部３によって接着固定  している。
（ヘ）他の実施例として図５は台座部３を取り替え式としたもので図５（ａ）はネジで取  り付け型であり、図５（ｂ）は支柱回転型で台座部３の底部と狭持部４を支柱で連結し  止めビスで固定したものであり、図５（ｃ）は上がり止めスライド接合具型で台座部３  の先端凸部がスライド接合具の上がり止めにはめ込まれ雌ネジの穴を雄ネジで固定する  スライド固定式である。
（ト）また、他の実施例として凸凹部２に替り図６（ａ）に記載の台座部３に垂直なブラ  シを設けた両面ブラシ図６（ｂ）は台座部３の側面で取手部側の一側面を除く側面３ヶ  所にブラシを設けた４面ブラシ図６（ｃ）は先端部長手方向前方への傾斜ブラシ図６（  ｄ）は先端部一側面にブラシを設けたＬ字状のブラシ図６（ｅ）は台座部３の左右の向  かい合う各側面にブラシを設けた３面ブラシと様々なブラシを有する形態を設ける。
（チ）また、他の実施例として図７は凹凸部２に図７（ａ）に記載の洗浄板状の
凸凹面を設け図７（ｂ）に波状でゴム、シリコンゴム、ポリプロピレンの部位を設け図７（ｃ）はイボ状の凸凹部を設ける。
（リ）また、他の実施例として図８は形成された狭持部４自体が台座部３を有し、同一となりその台座部の位置にブラシ部を設け狭持部４に取手部５が差し込まれたものである。
本発明は以下のような構成である。
本発明を使用する時は取手部５で洗浄物を摘み上げて汚れた所をブラシ１や凸凹部２で集中洗いをしたり狭持部４を閉じて狭い所や靴の中などにに差し込み洗いが出来、狭持部４で布やスポンジやペーパーを挟み拭き取り洗いが出来て洗濯、清掃、キッチン用品として役立つ。
【符号の説明】
【０００８】１ブラシ部
２凸凹部
３台座部
４先端狭持部
５取手部
６バネ部
【図１】
0006435461.tif 000002
【図２】
0006435461.tif 000003
【図３】
0006435461.tif 000004
【図４】
0006435461.tif 000005
【図５】
0006435461.tif 000006
【図６】
0006435461.tif 000007
【図７】
0006435461.tif 000008
【図８】
0006435461.tif 000009
(57)【特許請求の範囲】
【請求項１】
下記の構造式（化１）の構造を有する化合物。
【化１】
0006435505.tif 000003
【発明の詳細な説明】
【技術分野】
【０００１】
本発明は、法的管理および健康管理などの産業分野において、合成カンナビノイドの検出するために必要な抗体を作成するための合成カンナビノイド誘導体に関する。
【背景技術】
【０００２】
合成カンナビノイドを検出するためには、通常迅速にかつ正確に検出作業を行うことが要望されるとともに、微量成分の分析を行うことも要望されている。
【０００３】
従来、合成カンナビノイドを検出する方法として、ガスクロマトグラフ質量分析（ＧＣ−ＭＳ）や液体クロマトグラフ質量分析（ＬＣ−ＭＳ）、あるいは、特許文献１に開示されているイオナイザ／コレクタ装置による測定方法があった。
【先行技術文献】
【特許文献】
【０００４】
【特許文献１】特表２００７−５１５６１９号公報
【発明の概要】
【発明が解決しようとする課題】
【０００５】
従来法であるＧＣ−ＭＳやＬＣ−ＭＳの感度は約ｐｐｍオーダーであり、さらには不純物が存在した場合には、著しく感度低下を引き起こす課題があった。
【０００６】
そのため、前処理としてある程度の不純物を除去する必要があり、結果として測定時間も長時間（３０分以上）かかるという問題があった。
【課題を解決するための手段】
【０００７】
前記従来の課題を解決するために、本発明の化合物（免疫用合成カンナビノイド誘導体）は、構造式（化１）の構造を有したものである。
【０００８】
また、前記化合物をキャリヤータンパク質であるキーホールリンペットヘモシアニンと結合した免疫原を得ることが容易に可能であり、その免疫原を動物（マウス、ウサギなど）に免疫し、特異的な抗体を作製することができる。
【発明の効果】
【０００９】
本発明の合成カンナビノイド誘導体より高性能な抗体を作製することが可能となる。
【図面の簡単な説明】
【００１０】
【図１】合成カンナビノイド誘導体試薬の赤外線スペクトル図
【図２】合成カンナビノイド誘導体試薬のＮＭＲの分析データ図
【発明を実施するための形態】
【００１１】
以下本発明の実施の形態について、図面を参照しながら説明する。
【実施例】
【００１２】
以下実施例を用いて本発明をさらに具体的に説明する。
【００１３】
以下、カルボキシル基を所有した合成カンナビノイド誘導体１００の作製について説明する。
【００１４】
（１）合成カンナビノイド誘導体の合成
２．５Ｍエチルマグネシウムブロミド（１．６５ｍｍｏｌ）を１．１ｍｌエーテル溶媒中に添加し、しばらく０℃で撹拌した。この溶液に、あらかじめ１．１ｍｌエーテル溶媒で溶解したインドール（１．３ｍｍｏｌ）を徐々に添加し、添加終了後３０分間、室温で撹拌した。
【００１５】
撹拌しながら、予め１ｍｌエーテル溶媒で溶解した２−ナフトイルクロライド（１．４６ｍｍｏｌ）を徐々に添加した。その反応液は１．５時間、室温で撹拌しながら放置した。その後、飽和塩化アンモニウム水溶液を反応液と同体積添加することにより反応を停止させると共に、微粉末状になるまで撹拌を続けた。この粉末をろ過し、適当量の水で洗浄した後に適当量のエーテルで洗浄した。粉末を１ｍｌメタノールで溶解した後に、１ｍｌ水酸化ナトリウム水溶液（０．４ｇ／ｍｌ）を添加し、室温で１８時間撹拌した。沈殿物をろ過後に適当量のメタノール、水、エーテルで洗浄した。その後、１００℃真空下で乾燥させ、０．２５ｇの３−（２−ナフトイル）インドール混合物を得た。この混合物を精製することなく次の合成ステップに利用した。
【００１６】
０．２ｇ３−（２−ナフトイル）インドール混合物を１．５ｍｌジメチルスルフォキシド（ＤＭＳＯ）で溶解した後に、０．６ｇ水酸化カリウムを添加した。この反応液に１−ブロモヘプタン酸（５．５ｍｍｏｌ）を徐々に添加し、８５℃で１８時間撹拌した。反応液を適量の水で希釈した後に、適量の酢酸エチルで３度抽出した。抽出物を濃縮後、クロマトグラフィー（シリカ担体、溶出液：石油エーテル／＝７／１）により精製し、０．１ｇ１−ヘプタン酸−３−（２−ナフトイル）インドール（収率：４１％）を得ることができた。
【００１７】
得られた反応生成物の赤外線スペクトルは図１に示す通りである。
【００１８】
このスペクトルにより１６５０−１６１０ｃｍ−１付近（Ｃ＝Ｏ  伸縮振動）、３１００−２８００ｃｍ−１（Ｃ−Ｈ  伸縮振動）、１５３０−１４５０ｃｍ−１（窒素を含む複素環の伸縮振動）及び３０００ｃｍ−１（−ＣＯＯＨ）が観測され、カルボキシル基が構造上存在していることが確認できた。
【００１９】
また、同物質のＮＭＲ（Ｈ）の分析データ図２から、得られた反応生成物は、下記の構造式（化１）の構造であることが確認できた。
【００２０】
【化１】
0006435505.tif 000002
【産業上の利用可能性】
【００２１】
本発明は、法的管理および健康管理などの産業分野において、利用されうる。
【符号の説明】
【００２２】
１００    合成カンナビノイド誘導体
【図１】
0006435505.tif 000004
【図２】
0006435505.tif 000005
(57)【特許請求の範囲】
【請求項１】
プラスチック製又はゴム製のボールを満たし、その中で子供たちが遊べるようになっているボールプールにおいて、
ボールプールの床部分にＬＥＤの配線されたクッション材を仕込み、ボールプール内をカラフルに照らし出すことを特徴とし、
クッション材は、その中央内部に光源部分を備え、光源部分はその内部にミラーとその上に四角形の枠体及び枠体内に延びる突出部の側面に連続して取り付けられたＬＥＤテープライトとその上に透明なカバーとを備えるとともに、組み合わせたクッション材の上にさらに薄手のビニールシートを敷き詰めたことを特徴とする光るボールプール。
【発明の詳細な説明】
【技術分野】
【０００１】
本願発明は、プラスチック製又はゴム製のボールを満たし、その中で子供たちが遊べるようになっているボールプールに関するものである。
【背景技術】
【０００２】
運動施設や遊戯施設などには、子供の遊び場として「ボールプール」と呼ばれるものがよく置かれている（特許文献１）。海外でもこのボールプールは普及しており、そのなかにはボールプール内をＬＥＤでカラフルに照らし出しているもの（光るボールプール）も存在している。
【先行技術文献】
【特許文献】
【０００３】
【特許文献１】実開平６−５２８７３号公報
【発明の概要】
【発明が解決しようとする課題】
【０００４】
しかし、この海外の光るボールプールは、ポリカーボネイドと言う硬質プラスチックを何枚も敷き詰め、その下にＬＥＤの配線を行っている。そして、ポリカーボネイドは経年により反りが出ることがあり、ボールプールの中と言うこともあって、ボールプールで遊んでいる子供たちが気づかずに足を傷つける可能性があった。また、そのため、日本国内では安全対策上難しいと言う理由で敬遠されていた。
【０００５】
そこで、本願発明者は、子供たちが安心して遊ぶことのできる安全な光るボールプールを提供すべく、本願発明を完成するに至った。
【課題を解決するための手段】
【０００６】
本願発明の第１の発明は、プラスチック製又はゴム製のボールを満たし、その中で子供たちが遊べるようになっているボールプールにおいて、ボールプールの床部分にＬＥＤの配線されたクッション材を仕込み、ボールプール内をカラフルに照らし出すことを特徴とし、クッション材は、その内部にミラーとその上に四角形の枠体及び枠体内に延びる突出部の側面に連続して取り付けられたＬＥＤテープライトとその上に透明なカバーとを備えるとともに、さらに薄手のビニールシートを敷き詰めたことを特徴とする光るボールプールである。
第２の発明は、クッション材が、組み合わせるタイプのものであることを特徴とする同光るボールプールである。
【発明の効果】
【０００７】
本願発明によれば、以下のような効果を有する。
（１）ボールプールの床部分にＬＥＤの配線されたクッション材が仕込まれているので、その中で遊んでいる子供たちが怪我をする危険性は無く、安心して遊ぶことができる。
（２）クッション材がその内部にミラーとその上に四角形の枠体及び枠体内に延びる突出部の側面に連続して取り付けられたＬＥＤテープライトとその上に透明なカバーとを備えることで、安全な上にさらにカラフルな光をボールプール内に提供できる。
（３）クッション材が組み合わせるタイプのものであることで、複数のクッション材を組み合わせてボールプールの床部分を形成するので、いろいろな光（ＬＥＤ）の組み合わせが可能になる。
【図面の簡単な説明】
【０００８】
【図１】本願発明の実施形態を示す説明図（１）。
【図２】本願発明の実施形態を示す説明図（２）。
【発明を実施するための形態】
【０００９】
本願発明の実施形態を図面に基づいて説明する。但し、図示するものは、本願発明の一例であり、本願発明は図示のものに限定されるものではない。
図１は、ボールプールの床部分に仕込まれるクッション材を上から見た説明図であり、図２は、その光源部分を横から見た説明図である。
【００１０】
クッション材１０は、その中央内部に光源部分を備えている。光源部分は下からミラー２０、その上に四角形の枠体３０及び枠体３０内に延びる突出部３１、その枠体３０及び突出部３１の側面に連続して取り付けられたＬＥＤテープライト４０、透明なカバー５０（図１では省略）を主に構成されている。なお、符号６０は接続ケーブル、符号７０は電源ケーブルである。
【００１１】
そして、こうしたクッション材１０，１０，…を組み合わせた上に、暑さ０．５ｍｍのビニールシート（図示省略）を敷き詰めることで安全策が講じられている。
【産業上の利用可能性】
【００１２】
本願発明は、光るボールプールだけではなく、光を使用した遊戯設備などに幅広く利用できるものである。
【符号の説明】
【００１３】
１０  クッション材
２０  ミラー
３０  枠体
３１  突出部
４０  ＬＥＤテープライト
５０  透明なカバー
６０  接続ケーブル
７０  電源ケーブル
【図１】
0006272380.tif 000002
【図２】
0006272380.tif 000003
(57)【特許請求の範囲】
【請求項１】
短手部と長手部から成るＬ形板の短手部の中央に仮溶接用小孔を設けるとともに長手部の中央に組み立て用小孔を設け、このＬ形板の短手部の仮溶接用小孔部を鋼材の一面部に置きこの小孔部に仮溶接してＬ形板を固定し、平形板の中央部には仮溶接用小孔を設けるとともにその左右側部に組み立て用小孔を設け、この平形板の仮溶接用小孔部を鋼材の一面部に置きこの小孔部に仮溶接して平形板を固定し、しかる後に、Ｌ形板と鋼材との接触面の左右両側辺部を本溶接し、平形板と鋼材との接触面の左右両側辺部を本溶接してなることを特徴とする建築鋼材における溶接法。
【発明の詳細な説明】
【技術分野】
【０００１】
本発明は、建築鋼材における溶接法に関するものである。
【背景技術】
【０００２】
建築鋼材には、アングルピースと呼ばれるＬ形板があり、これは外壁板を取付けるための手段として必要な部材であり、またプレートと呼ばれる平形板があり、これは隣接する角柱材との継ぎ材を連結する手段として必要な部材であり、基本的にはこれらの部材を組み合わせて建築物の骨組みを構築することになる。
【０００３】
従来、建築鋼材である角柱材やＨ鋼の一面に対してＬ形板や平形板を溶接する方法としては、Ｌ形板でも平形板でも、鋼材との接触面に対して行う溶接は、その形板の一部に片手を当てて固定しかつ防具面を片手で持って行っていたから、前記接触面に対しては点的な仮溶接しかできず、この後で鋼材との接触面に対して本溶接を行うという手数がかかる方法であったし、また最初の仮溶接部にあっては凸凹面を呈するものであった。
【０００４】
このような従来の建築鋼材における溶接法を改善する組み立て溶接において、位置ずれや持ち上がりを防止し、溶接外観と作業性の向上を図ることができる部品の溶接法に関して調査したが、間接的なものとして次のような公知文献しか存せず、本発明に係る建築鋼材における溶接法とはほど遠いものであった。
【先行技術文献】
【特許文献】
【０００５】
【特許文献１】特許第５１２６３１５号公報
【特許文献２】特開昭５８−１１０１７５号公報
【発明の概要】
【発明が解決しようとする課題】
【０００６】
そこで、本発明は、前記した従来の溶接法を改善し、建築鋼材用部材についての新しい組み立て溶接法を提供することを目的とするものである。
【課題を解決するための手段】
【０００７】
本発明は、短手部と長手部から成るＬ形板の短手部の中央に仮溶接用小孔を設けるとともに長手部の中央に組み立て用小孔を設け、このＬ形板の短手部の仮溶接用小孔部を鋼材の一面部に置きこの小孔部に仮溶接してＬ形板を固定し、平形板の中央部には仮溶接用小孔を設けるとともにその左右側部に組み立て用小孔を設け、この平形板の仮溶接用小孔部を鋼材の一面部に置きこの小孔部に仮溶接して平形板を固定し、しかる後に、Ｌ形板と鋼材との接触面の左右両側辺部を本溶接し、平形板と鋼材との接触面の左右両側辺部を本溶接してなる建築鋼材における溶接方法である。
【発明の効果】
【０００８】
建築用鋼材に対して組み合わせる部材として使用するアングルピース（Ｌ形板）やプレート（平形板）を鋼材面に溶接する際には、溶接作業員は一人で確実に仮溶接用の組み立て溶接をした後に、安定した状態下において本溶接となる面溶接をすることができるようになるのであり、これにより溶接作業員は安全かつ安心して溶接作業を行うことができるのである。
【図面の簡単な説明】
【０００９】
【図１】実施例として、角柱材に対して使用するＬ形板の斜視図であり、（Ａ）は仮溶接前の状態図，（Ｂ）は仮溶接時の状態図，（Ｃ）は本溶接時の状態図
【図２】実施例として、角柱材に対して使用する平形板の斜視図であり、（Ａ）は仮溶接前の状態図，（Ｂ）は仮溶接後の状態図，（Ｃ）は本溶接時の状態図
【図３】前記各形板を角柱材に対して仮溶接する状態を示す正面図
【図４】図３Ａ−Ａ線の断面図
【発明を実施するための形態】
【００１０】
本発明は、建築鋼材における溶接方法において、まずＬ形板の短手部に設けた小孔に溶接を施して鋼材の所定位置に仮溶接の固定をし、また平形板の中央部に設けた小孔に溶接を施して鋼材の所定位置に仮溶接の固定をする。
【００１１】
しかる後に、Ｌ形板の短手部の両側辺部に本溶接をし、また平形板の両側辺部に本溶接をすることになるのである。
【実施例】
【００１２】
１は建築鋼材の一種の角柱材で、断面四角面を形成する鋼材である。建築鋼材としては他にＨ鋼材がある。
【００１３】
２は短手部３と長手部４から成るＬ形板で、このＬ形板の短手部３の中央には仮溶接用の小孔５を設け、長手部４の中央には組み立てに必要な組み立て用小孔６，６を間隔をおいて設ける。前記仮溶接用の小孔５は２個でもよい。
【００１４】
そこで、溶接作業員は、角柱材１の所定の一面部上にＬ形板２の短手部３を置き、この短手部の小孔５に仮止めとしての溶接をしてＬ形板２を角柱材１の所定位置に固定する。
【００１５】
しかる後に、Ｌ形板の短手部の左右両側辺部に本溶接８，８を行う。
【００１６】
９は長尺の平形板で、この平形板の中央には仮溶接用の２個の小孔１０，１０を設け、その他の部分には組み立てに必要な組み立て用小孔１１，１１，１１，１１を設ける。前記仮溶接用の小孔１０は１個でもよい。
【００１７】
そこで、溶接作業員は、角柱材１の所定の一面部上に平形板９の中央の仮溶接用小孔１０，１０部分を置き、この小孔に仮止めのための溶接をし平形板９を角柱材１の所定位置に固定する。
【００１８】
しかる後に、平形板の左右両側辺部に対して本溶接１３，１３を行うのである。
【符号の説明】
【００１９】
１                            角柱材
２                            Ｌ形板
３                            短手部
４                            長手部
５                            仮溶接用小孔
６，６                        組み立て用小孔
７                            仮溶接部
８，８                        本溶接部
９                            平形板
１０，１０                    仮溶接用小孔
１１，１１，１１，１１        組み立て用小孔
１２，１２                    仮溶接部
１３，１３                    本溶接部
【図１】
0006433880.tif 000002
【図２】
0006433880.tif 000003
【図３】
0006433880.tif 000004
【図４】
0006433880.tif 000005
(57)【特許請求の範囲】
【請求項１】
固定子（１）の構造が、ポール（２）間にスロット（３）を有し、
インダクタシステムの構造が、従来のオルタネータの単一のコア（２）を有し、
前記固定子（１）の前記ポール（２）は、軸方向であり、前記ポール（２）は、前記ポール（２）の内周端部に設けられるとともに周方向に突出するシュー（８）を有し、
各励磁電磁石が、
共通ヨーク（９）またはシリンダヘッド、および
共通コレクタまたはシュー（８）、
を共有する、平行に幾つかの同一の電磁石によって形成され、
前記コレクタまたは前記シュー（８）の各々の端部は、隣り合うコレクタまたはシュー（８）の端部に物理的に接触して、コレクタの端部の周方向連続体を形成し、
前記励磁電磁石の前記コア（２）、シュー（８）およびヨーク（９）は、永久磁石であるとともに、前記固定子ポール（２）の前記シリンダヘッドまたはヨーク（９）は、永久磁石であることを特徴とする回転磁場機械。
【発明の詳細な説明】
【技術分野】
【０００１】
この発明の特許に提案される改善は、固定子の構造および従来の回転磁場機械の励磁システムに関する。励磁電磁石の改善は、多くの他の機械および装置に適用され得る。
【背景技術】
【０００２】
出願人は、この特許に提案されたような他の固定子または励磁トポロジーに気付いていない。これらは、従来の磁気の移動によって励磁される発電機およびエンジンに適用され得る。後者は、出願人の実用新案Ｕ２００４０２３９６号および発明特許Ｐ２０１２００３３４号並びに他の機械および装置と同様の目的である。
【発明の概要】
【０００３】
イノベーションは、固定子のポールが、軸方向であり、空隙内でポールのシュー間にスロットを有さず、各励磁電磁石が、共通ヨークまたはシリンダヘッド、および共通コレクタまたはシューを共有する、平行に幾つかの同一の電磁石によって形成されているという事実からなる。
【０００４】
理想的な固定子は、従来の固定子に比べて、電圧および電力の損失、電磁石および機械の振動、並びに起動トルクを取り除くという利益を有する。理想的な固定子の銅含有量は、少なくとも２５％小さく、より良好な冷却用空気通路を有し、そのサイズは等しくまたは従来の固定子よりも小さい。
【０００５】
改善された電磁石は、１ターンあたりのアンペア数が同じであるために、従来よりも５０％少ない銅を有しており、そのサイズは等しくまたはより小さく、より良好な冷却用空気通路を有している。
【０００６】
共通コレクタおよびヨークは、いずれも永久磁石であり得る。
【図面の簡単な説明】
【０００７】
【図１】図１は、従来の固定子のプレートの軸から見た図である。
【図２】図２は、改善された固定子を示す軸に沿って幾何学的な軸から見た側断面図である。
【図３】図３は、従来のインダクタを示す軸に沿った断面図である。
【図４】図４は、改善されたインダクタを示す幾何学的な軸に沿った断面図である。
【発明を実施するための形態】
【０００８】
図１において、符号１は、ポールの拡張部またはシューを示す。符号２は、半径方向のポールを示す。符号３は、ヨークまたはシリンダヘッドを示す。符号４は、コイルまたは巻き線を収容するためのポール間の空間を示す。符号５は、ポールシュー間のスロットを示す。
【０００９】
改善された固定子の実施の形態
図３において、符号１は、電磁石のコアまたはアーマチュアを示す。符号２は、コアに巻かれたコイルを示す。符号３は、ポール部であって、ヨークまたはシリンダヘッドおよびシューまたはコレクタを示す。
【００１０】
図２においては、固定子１アーマチュア組立体の幾何学的な軸を通る、Ａ−Ａ線断面を示している。この固定子１アーマチュア組立体は、選択された構造によって要求された場合と同様に多くのコアまたは軸ポール２によって形成されている。この図においては、ポール３間のスロットは、必要に応じて小さくなり得ることが示される。なぜなら、固定子巻き線４を形成する伝導体は、回転子６が回転する、空隙７によって固定子から離れて空間を空ける領域とは反対側の端部５を通じ、各ポールに案内されるからである。
【００１１】
空隙７の領域においては、固定子のヘッドポールは、拡張部８またはシューを有している。拡張部８またはシューの間には、スロット３が存在している。拡張部８またはシューは、ポール表面のうちのとても小さい割合であり、例えば、１割以下、または少しもない。その上、固定子巻き線のヘッドは、従来の固定子よりもかなり短い。なぜならターン４は、図２では、互いに干渉することなく、ポール２の軸拡張部に収容されているからである。このため、改善された巻き線の導電体の長さは従来よりも短い。商用の自動車用オルタネータの特定の場合、３５％の減少または倹約量は、非常に有意義である。
【００１２】
上述した軸ポール２は、従来の半径方向のポールの場合と同様に、磁束の通過が起こる共通ヨーク９を共有している。ヨーク９は、磁石であり得る。
【００１３】
固定子コイル４は、重ね合わされていないが、図２の軸コア２の連続するセグメント内に置かれている。固定子コイル４は、共通して使用される適切な機械的手段によってヨークに取り付けられる前に、適切なモールドで製造され、コアに挿入され得る。
【００１４】
上述した利益に加えて、固定子コイルの空冷は、従来の配置よりもかなり良好である。これは、軸コアおよびその巻き線が、冷却用空気のための広い通路を残すという事実による。上述した全ては、軸の空隙に適用され得る。
【００１５】
改善された励磁電磁石の説明
請求された改善点は、従来の電磁石を、より小さい断面１を有する幾つかの電磁石に取り換えることからなる。図４においては、断面１は、両極性を接合する柔軟な鉄プレートの間に平行に置かれている。例えば、Ｎ極は、ここではコレクタまたはシュー２として知られ、Ｓ極性を接合する他方は、ここではシリンダヘッドまたはヨーク３として知られており、従来と同じ外形寸法を有している。シリンダヘッドまたはヨーク３の容量は、伝導体ワイヤが、１ターンあたりのアンペア数が同じであることに関する限り、従来の電磁石よりもかなり小さい。
【００１６】
空冷は、改善されたインダクタに、より良好で、同じ外形寸法が与えられている。これは、従来のインダクタよりも、空気に晒されるワイヤの長さをより長くし、より良好な空気の通路を有するからである。
【００１７】
改善された電磁石の磁石のコアは、対応するコイルによって取り囲まれる永久磁石であり得る。
【００１８】
さらに、コレクタおよびシリンダヘッドは、調整された両極性を含む永久磁石であり得る。
【００１９】
なお、この電磁石の励磁は、他の用途に適用可能であり得る。この特許出願において、電気機械の励磁に関する上述のシステムは、他の機械および装置に同様に使用され得る。
【図１】
0006441327.tif 000002
【図２】
0006441327.tif 000003
【図３】
0006441327.tif 000004
【図４】
0006441327.tif 000005
(57)【特許請求の範囲】
【請求項１】
システムは、参加者オプションを提供するオークションの終了前の前記参加者オプションの設定時刻以降に前記オークションの最初の入札を検出の際に、前記オークションの前記参加者オプションを実施することを特徴とする方法。
【請求項２】
システムは、参加者オプションを提供するオークションの終了前の前記参加者オプションの設定時刻に未だ入札が無いと判定した際に、前記オークションの前記参加者オプションを実施することを特徴とする方法。
【発明の詳細な説明】
【技術分野】
【０００１】
本発明は、オークション提供方法に関する。
【背景技術】
【０００２】
従来、オークションシステムが知られる。例えば、ヤフー・オークション（登録商標）では、「自動延長」、「早期終了」などの出品オプションが提供されている。ここで、「自動延長」は、入札者の入札がトリガーであり、「早期終了」は、出品者によるウェブページのボタン操作がトリガーである。
【先行技術文献】
【非特許文献】
【０００３】
【非特許文献１】ヤフー・オークション（登録商標）  http://help.yahoo.co.jp/help/jp/auct/
【発明の概要】
【発明が解決しようとする課題】
【０００４】
ところで、上記従来のオークションシステムは、オークション終了時刻の５分前以降に２名以上の入札者が競り合うと、入札の度に終了時刻が５分延長され、競り合いが続く限り３０分でも１時間でも終了時刻が延長される「自動延長」と、出品者が「終了ボタン」を押す操作を行うことにより、オークションの終了時刻を待たずに、オークションを即刻終了させることができる「早期終了」などの出品オプションを備えているが、未だ入札がないオークションの終了間際を狙って、安値で落札したい入札者の思惑を排除するオプションを備えていないといった問題があった。
【０００５】
そこで、本発明の目的は、参加者オプションの設定時刻以降にオークションの最初の入札を検出の際に、オークションの参加者オプションを実施することができる方法を提供することにある。
また、参加者オプションの設定時刻に未だ入札が無いと判定した際に、オークションの参加者オプションを実施することができる方法を提供することにある。
【課題を解決するための手段】
【０００６】
上記課題を解決のため本発明の方法において、システムは、参加者オプションを提供するオークションの終了前の前記参加者オプションの設定時刻以降に前記オークションの最初の入札を検出の際に、前記オークションの前記参加者オプションを実施することを特徴とする。
また、システムは、参加者オプションを提供するオークションの終了前の前記参加者オプションの設定時刻に未だ入札が無いと判定した際に、前記オークションの前記参加者オプションを実施することを特徴とする。
【発明の効果】
【０００７】
本発明によれば、方法は、参加者オプションの設定時刻以降にオークションの最初の入札を検出の際に、オークションの参加者オプションを実施することができる。
また、参加者オプションの設定時刻に未だ入札が無いと判定した際に、オークションの参加者オプションを実施することができる。
【図面の簡単な説明】
【０００８】
【図１】実施形態のオークションシステムの構成図である。
【発明を実施するための形態】
【０００９】
以下、本発明の実施の形態について詳細に説明する。
【００１０】
図１は実施形態のオークションシステムの構成図である。オークションシステムは、出品者が出品した商品に対して競上げ式のオークションを開催し、商品への入札者を募り、オークションの終了時に商品の落札者を決定するオークションサイトを提供するサーバ１、出品者たちが使用する複数の出品者端末２、入札者たちが使用する複数の入札者端末３から構成される。サーバ１、出品者端末２、入札者端末３などの装置は、インターネット１０などのネットワークシステムに接続され、ＣＰＵ、ＲＯＭ、ＲＡＭ、記憶装置、入出力部及び通信用集積回路などを有するコンピュータ部を備える。
【００１１】
サーバ１は、例えば、オークション終了時刻とオークション終了時刻より前のオプション実施時刻を登録するタイマー手段と、入札者端末３からのオークションの入札に応じて、オプション実施時刻以降の入札と判定し、かつオークションの最初の入札と判定したときに、タイマー手段のオークション終了時刻を繰下げるように制御する第１制御手段と、タイマー手段で検出したオプション実施時刻に、オークションの入札が未だないと判定したときに、タイマー手段のオークション終了時刻を繰上げる、或いはオークションを終了させるように制御する第２制御手段を備えることを特徴とする。そして、出品者は商品の出品時などにオプション実施時刻を設定することが可能である。
【００１２】
第１制御手段は、未だ入札のないオークションに対し、オークションの終了間際を狙った入札者の安値落札を阻止するためのオークション終了時刻の「自動延長」オプションを提供する。
第２制御手段は、未だ入札のないオークションに対し、オークションの終了間際を狙った入札者の安値落札を阻止するためのオークション終了時刻の「自動早期終了」オプションを提供する。
出品者は商品の出品時などに該「自動延長」、該「自動早期終了」などのオプションを設定することが可能である。また、オプションの設定で出品者が繰下げ時間や繰上げ時間を任意に設定可能としてもよい。
【００１３】
上記実施形態によれば、オークションシステムは、未だ入札がないオークションの終了間際を狙って、安値で落札したい入札者の思惑を排除することができる。延いては、出品者にとって不当な安値で商品を落札される不利益を防止することができる。
【００１４】
以上の説明においては、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の各装置と同等の作用および効果が得られる。
【００１５】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００１６】
また、インターネット、ＬＡＮ等のネットワークシステムを介して制御プログラムをダウンロードし、インストールして実行するように構成することも可能である。
【符号の説明】
【００１７】
１…サーバ，２…出品者端末，３…入札者端末，１０…インターネット
【図１】
0006402294.tif 000002
(57)【特許請求の範囲】
【請求項１】
打球面及び断面は、上側に頂点が位置するように配置されたハート形であり、左右方向に長い形状であることを特徴とするパターヘッド。
【請求項２】
シャフト位置を中心にして左右対称であり、
左右両端に前記打球面が形成され、
前記打球面には、それぞれ互いに異なる反発材質板がセットされている、ことを特徴とする請求項１に記載のパターヘッド。
【発明の詳細な説明】
【技術分野】
【０００１】この発明はゴルフクラブパターヘッドに関するもの。パターの打球面がハート形である為、アドレスしボールにソウルした時ボールの中心点とパターの中心点が合わせ易い。【０００２】パッテイングでアドレスしたとき、シャフトの角度は各人で違う。現行のパターはヘッドのライ角に合わせてアドレスしなければならないが、この発明パターは誰もが思うままの角度に正しい位置にソールすることが出来る。【０００３】現行のパターの打球面は長方形で前後に長いが、この発明パターは左右に長いので狙った方向にソウルし易く、ヘッドも打ち出し方向に真っ直ぐストロークすることが容易である。
【発明の開示】
【発明が解決しようとする課題】
【０００５】現行パターでは芯でヒツトすることがプロでもむつかしい。現行パターでは打球面が前後に長いため、ヘッドの前後の位置、角度、高さを合わせ目標方向にヒットするのがむつかしい。パターの構造上プロでもほとんどパターの芯でヒット出来ていない。パターの上っ面でヒットしているのがほとんどで気がついていない。打ち出し方向にヒットするが引っ掛け、押し出しが出やすく又ボールの転がりが悪くショートすることが多々ある。
【発明の効果】
【０００６】この発明パターは打球面がハート形の為ボールの中心にアドレスしやすく、ボールの中心をパターヘッドの中芯でヒットし易い。更に左右に長いので打ち出し方向に真っ直ぐストロークしやすい。引っ掛けや押し出しがなくなり、ボールのころがりが良くなりショートもへる。傾斜のあるグリーンにおいても、ボール芯と打球面芯がピッタリと合わせることが容易であり芯で容易にヒットできるようになる。真っ直ぐ目標方向にヘッドをストロークし易いので、方向性が向上する。反発の異なる打球面が左右２つあるので下りのラインと上りのライン等で使いわけが可能である。
【図面の簡単な説明】
【０００７】
【図−１】ハート形打球面パター  このパターはハート形打球面が左右にあり、中央にシャフトを取付けて、左右対称になったパターヘッドである。左右の打球面には、それぞれ異なった材質板をセットしたもの。
【図−１】
0006402292.tif 000002
(57)【特許請求の範囲】
0006347013.tif 000012
0006347013.tif 000013
0006347013.tif 000014
0006347013.tif 000015
0006347013.tif 000016
0006347013.tif 000017
0006347013.tif 000018
0006347013.tif 000019
【発明の詳細な説明】
0006347013.tif 000002
0006347013.tif 000003
0006347013.tif 000004
0006347013.tif 000005
0006347013.tif 000006
0006347013.tif 000007
0006347013.tif 000008
0006347013.tif 000009
0006347013.tif 000010
0006347013.tif 000011
【図１】
0006347013.tif 000020
【図２】
0006347013.tif 000021
(57)【特許請求の範囲】
【請求項１】
脚、長フレーム、短フレーム、補強材からなるベッドにおいて、脚は底辺がフラットであり、上面は長フレーム、短フレームの外側への転倒を防ぐ突起が施されており、ベッドにおける複数の脚同士が左右対称の形状であって、長フレームには補強材を乗せる受け桟があり、長フレーム、短フレームの両端部においては、脚の板厚と同じ幅で下側に切り込み加工が施されてあって、ベッドの四隅において、短フレームの切り込み部と長フレームの切り込み部が脚の突起の内側上部で直角を構成するように組み合わせ、短フレームと長フレームで構成される四角形に補強材を設置することを特徴とするベッドである。
【発明の詳細な説明】
【技術分野】
【０００１】本発明は、工具なしで簡単に組み立て、また、分解できるベッドに関するものである。
【背景技術】
【０００２】従来のベッドの主だったものは、ネジで固定する方式である。構成部材も多く、組み立てや分解には、ネジ回し、又は、六角レンチ等の工具が必要であり、組み立ても難しく、組み立て時間も２０〜３０分かかる。
【発明の概要】
【発明が解決しようとする課題】
【０００３】工具なしで簡単に組み立て、又、分解できるベッドが求められていた。
【課題を解決するための手段】
【０００４】本発明のベッドの構成部材は、脚、長フレーム、短フレーム、補強材である。脚、長フレーム、短フレームは、すべて同じ板厚である。【０００５】脚は底辺がフラットであり、上面は長フレーム、短フレームの外側への転倒を防ぐ突起が施されている。脚はベッドにおける複数の脚同士が左右対称の形状である。【０００６】長フレームは、両端部分に、脚の板厚みと同じ幅で下側に切り込み加工が施されている。下側切り込みの開始位置は、両端部から板厚分を差し引いた位置とする。長フレームには補強材を乗せる受け桟がある。【０００７】短フレームは、両端から板厚分だけ内側の位置から、脚の板厚みと同じ幅で下側に切り込み加工が施されている。【０００８】組み合わせるには、まず、脚に短フレームの切り込み部を落とし込む。次に長フレームの切り込み部を脚に落とし込む。最後に、短フレームと長フレームで構成される四角形に補強材を落とし込む。短フレームの内側への転倒は長フレームに支えられ、長フレームの内側への転倒は、補強材によって支えられる。更に、長フレーム、短フレームの外側への転倒については、脚の突起により支えられる。このように、構成部材どうしが互いに支え合うことで、ベッドが組み立てられるという構造である。
【発明の効果】
【０００９】構成部材が少なく、組み合わせていくだけで、組み立てが簡単である。
工具も不要で、組み立て時間も短くて済む。
【図面の簡単な説明】
【００１０】
【図１】ベッドの全体斜視図
【図２】ベッドの構成部材
【図３】脚４、短フレーム２、長フレーム３の組合せ図
【図４】コーナー部の組み合わせ拡大図
【図５】ベッド全体のフレーム構造図
【発明を実施するための形態】
【実施例１】
【００１１】以下図面によって本発明の実施例を説明する。
図３に示す短フレーム２の下側の切り込みを脚４の突起内側に乗せる。そのままだと、短フレーム２は内側に倒れ込む。次に、長フレーム３の下側切り込みを脚４の突起内側に、短フレーム２と直角に乗せる。【００１２】図４で示すように短フレーム２は長フレーム３に支えられているので内側に倒れないが、長フレーム３は内側に倒れ込む。【００１３】図５のフレーム構造に補強材を落とし込むことによって、全体図１となり、長フレーム３は、補強材によって支えられる。また、外側へは脚の突起により支えられる。このように構成部材が互いに支えあうことによって、ベッド全体が固定形成される。
【符号の説明】
【００１４】  １  補強材
２  短フレーム
３  長フレーム
４  脚
５  補強材受け桟
【図１】
0006347026.tif 000002
【図２】
0006347026.tif 000003
【図３】
0006347026.tif 000004
【図４】
0006347026.tif 000005
【図５】
0006347026.tif 000006
(57)【特許請求の範囲】
【請求項１】
帯により形成された二重太鼓又はお太鼓の内部に収容される和装用小物入れであって、
左右方向にファスナーが設けられた開口部を有し、筒状体に形成され内部に収容部を有する本体と、
本体の背面に固定され、左右方向に延びる筒状体であり、帯締めが挿通される紐通し部とを備え、
収容部の底部は開口部の下端であるファスナー止まりより下に配置され、
ファスナーは開口部を開閉するための把持部を有し、
把持部は本体の背面側に向けて配置されている和装用小物入れ。
【請求項２】
収容部は、左側の開口部に連なる左収容部と、右側の開口部に連なる右収容部とを有し、
左収容部と右収容部とは、一端が左側の開口部に接続され、他端が右側の開口部に接続された仕切り部により仕切られている請求項１に記載の和装用小物入れ。
【発明の詳細な説明】
【技術分野】
【０００１】
帯により形成された二重太鼓又はお太鼓の内部に収容される和装用小物入れに関するものである。
【背景技術】
【０００２】
従来、和装をした際に手回り品を携帯して所持するため、着物の帯の部分に取り付けられる和装用の手回り品収容袋であって、上部が開口する袋本体１０と、袋本体１０の上部に、接続部２２を介して取り付けられ、着用された着物６０と帯５０との重なる部分に上方から差し込み可能に設けられた差込部材２０と、袋本体１０の差込部材２０の取り付け位置より下側に、帯締め５２を通すように設けられた帯締め通し部３０とを具備する和装用の手回り品収容袋が提案されている(特許文献１参照)。
【先行技術文献】
【特許文献】
【０００３】
【特許文献１】特開２００６−８１８９７号公報
【発明の概要】
【発明が解決しようとする課題】
【０００４】
しかしながら、特許文献１の収容袋は帯に差し込んで着用するが、帯に負担がかかるとともに、着物姿を損なっている。
そこで本発明は、大切な着物と帯に負担をかけず、美しい着物姿を損なうことなく、小物を収容できる和装用小物入れを提供することを目的とする。
【課題を解決するための手段】
【０００５】
帯により形成された二重太鼓又はお太鼓の内部に収容される和装用小物入れであって、左右方向にファスナーが設けられた開口部を有し、筒状体に形成され内部に収容部を有する本体と、本体の背面に固定され、左右方向に延びる筒状体であり、帯締めが挿通される紐通し部とを備え、収容部の底部は開口部の下端であるファスナー止まりより下に配置され、ファスナーは開口部を開閉するための把持部を有し、把持部は本体の背面側に向けて配置されている和装用小物入れ。
【発明の効果】
【０００６】
本発明によれば、大切な着物と帯に負担をかけず、美しい着物姿を損なうことなく小物を収容できる和装用小物入れを提供することができる。
【図面の簡単な説明】
【０００７】
【図１】本発明の実施形態に係る和装用小物入れ１を前面側から視た図である。
【図２】本発明の実施形態に係る和装用小物入れ１を背面側から視た図である。
【図３】本発明の実施形態に係る仕切り部１２２を説明する図である。
【図４】本発明の実施形態に係る開口部１１を説明する図である。
【図５】図４に示すＡＡ断面図である。
【発明を実施するための形態】
【０００８】
本発明の実施形態に係る和装用小物入れ１は、帯により形成された二重太鼓又はお太鼓の内部に収容され、左右方向にファスナー１３が設けられた開口部１１を有し、筒状体に形成され内部に収容部１２を有する本体１０と、本体１０の背面に固定され、左右方向に延びる筒状体であり、帯締めが挿通される紐通し部２０とを備え、収容部１２の底部１２１は開口部１１の下端であるファスナー止まり１３１より下に配置され、ファスナー１３は開口部１１を開閉するための把持部１３２を有し、把持部１３２は本体１０の背面側１０ａに向けて配置されている。
【０００９】
収容部１２は、左側の開口部１１に連なる左収容部１２ａと、右側の開口部１１に連なる右収容部１２ｂとを有し、左収容部１２ａと右収容部１２ｂとは、一端が左側の開口部１１に接続され、他端が右側の開口部１１に接続された仕切り部１２２により仕切られている。
【００１０】
また、和装用小物入れ１は、更に、紐通し部２０と、吊り紐３０とを備える。紐通し部２０は、本体１０の背面側１０ａに設けられ、帯締めが挿通される水平方向に延びる孔を有する。吊り紐３０は、本体１０の上部の左右端から、それぞれ延びる紐状体である。吊り紐３０は、本体１０から所定長さまでは、本体１０と同じ仕上げ材で形成され、所定長さ以降は、ほどけにくい素材（例えば、綿テープ）で形成されている。使用者は、和装用小物入れ１をお太鼓等の内部に収容した状態で、吊り紐３０を前で結び、ほどけにくい素材で形成された部分を、胸元において着物と帯の間に押し込む。
【符号の説明】
【００１１】
１    和装用小物入れ
１０    本体
１０ａ  背面側
１１    開口部
１２    収容部
１２ａ  左収容部
１２ｂ  右収容部
１２１    底部
１２２    仕切り部
１３    ファスナー
１３１    ファスナー止まり
１３２    把持部
２０    紐通し部
３０    吊り紐
【図１】
0006347351.tif 000002
【図２】
0006347351.tif 000003
【図３】
0006347351.tif 000004
【図４】
0006347351.tif 000005
【図５】
0006347351.tif 000006